(57)【要約】【課題】カットオフ角度，光の色，拡散・集束状態等が異なる複数種類のダウンライトを容易に提供する。【解決手段】カップ状の反射体２１と，前記反射体２１の凹面側に発光部８１を配置するようにランプ８が取り付けられるソケット２２を備え，前記反射体２１，ランプ８及びソケット２２をフレーム２３に取り付けて形成した基本構成ユニット２０を共通の構成要素とする。そして，前記基本構成ユニット２０にコーン５０，レンズ４０，フィルターやルーバ等を取り付けるためのアダプタ３０を取り付け，このアダプタ３０を介して，複数種類あるコーン５０，レンズ４０，フィルターやルーバ等より選択した，所定の部品を取り付けることで，所望の特性（カットオフ角度，光色，光の拡散，集束状態等）を備えたダウンライト１を得る。【選択図】図２
2008034185.tif 000002
【特許請求の範囲】
【請求項１】
カップ状の反射体と，前記反射体の凹面側に発光部を配置するソケットを備え，前記反射体及びソケットをフレームに取り付けて形成した基本構成ユニットを共通の構成要素とし，
前記フレームに前記反射体の前記凹面前方を包囲する筒状の少なくとも一のアダプタを連結自在に形成すると共に，
一端が前記一のアダプタ内に設けた取付部に係止自在の共通の形状に形成され，且つ，内周面の色彩，全長などのうち，少なくともいずれか一の要素が異なる複数種類の中から選択されたいずれか１の筒状のコーンの他端を前記アダプタと同心状に突出させたことを特徴とするユニット型ダウンライト。
【請求項２】
筒状の取付具を更に備え，前記取付具内の所定の位置に，前記コーンの他端を係止する係止部と，前記アダプタの前記基本構成ユニットに対する取り付け側とは反対側の端部を係止する係止部をそれぞれ設けて前記取付具内に前記基本構成ユニットに連結されたアダプタ及びコーンを係止可能に構成すると共に，
前記アダプタに，前記基本構成ユニットとの連結側とは反対側の端部を延長する延長構造を設けたことを特徴とする請求項１記載のユニット型ダウンライト。
【請求項３】
前記アダプタが，前記基本構成ユニットに対する連結部と前記コーンの取付部を備えたベースアダプタを有すると共に，
前記延長構造として，前記アダプタの延長時に前記ベースアダプタの前記基本構成ユニットとの連結側とは反対側の端部に連結される延長アダプタを備えることを特徴とする請求項２記載のユニット型ダウンライト。
【請求項４】
前記延長アダプタに，さらに延長アダプタを連結可能としたことを特徴とする請求項３記載のユニット型ダウンライト。
【請求項５】
前記アダプタ内にレンズ取付部を設けると共に，該レンズ取付部に，透過する光に対して及ぼす作用が異なる複数種類のレンズの中から選択された１又は複数のレンズを取り付け可能としたことを特徴とする請求項１〜４いずれか１項記載のユニット型ダウンライト。
【請求項６】
前記レンズに代え，又は前記レンズと共に，ルーバ及び／又は光色変換用フィルターを前記アダプタ内に取付可能としたことを特徴とする請求項５記載のユニット型ダウンライト。
【請求項７】
前記アダプタに取り付けるコーンが，内周面の色が異なる複数種類より選択可能であることを特徴とする請求項１〜６いずれか１項記載のユニット型ダウンライト。
【発明の詳細な説明】
【技術分野】
【０００１】
本発明は、建築化照明としてのユニット型のダウンライトに関し，より詳細には，共通する主要構成部品を基本構成ユニットとして共用化し，この基本構成ユニットに組み合わせる構成部品を変更することによりカットオフ角度，演色性，光の拡散又は集束状態等が異なるダウンライトを容易に得られるように構成したユニット型のダウンライトに関する。
【背景技術】
【０００２】
従来の一般的なダウンライトの構成は，一例として図７に示すように下向きに開放したカップ状のカバー９０内に，同様に下向きに開放するカップ状の反射体２１を収容し，この反射体２１内に，ここでは電球であるが，ハロゲン球等の各種ランプから成る光源を配置することで，ランプ８が発した光を反射体２１によって反射させて所定の方向に光を照射することができるように構成されており，天井等に形成した取付孔７内に前記カバー９０を挿入して，このカバー９０の開孔側端縁に形成されたフランジ状の枠体９１を天井等に形成された開孔縁に当接させた状態で取り付けることで，このようにダウンライトを天井等に埋め込まれた状態で取り付けることができるように構成している（特許文献１の図１）。
【０００３】
また，このようにダウンライトに設けたカバーを天井等に形成した取付孔内に直接取り付けることなく，ダウンライトの本体とは別体として構成した取付具を天井に設けた取付孔内に予め取り付けておき，この取付具に，反射体や光源をカバー内に収容して構成したダウンライト本体を着脱可能としたダウンライトも提案されている（特許文献２）。
【０００４】
この発明の先行技術文献情報としては次のものがある。
【特許文献１】特開２００３−  ４５２０５号公報
【特許文献２】特開２００５−２７６７０３号公報
【発明の開示】
【発明が解決しようとする課題】
【０００５】
ところで，天井等に取り付けて使用する前述のダウンライトは，単に明るさを得るための照明器具として使用されるのみならず，このダウンライトによって照らし出される場の雰囲気を演出する目的で使用される場合や，展示物等を際立たせるためのディスプレイ用の照明器具等として使用される場合も多い。
【０００６】
そして，ダウンライトをこのような目的で使用する場合には，展示物や演出しようとする雰囲気等にあわせてダウンライトより照射される光の広がり角度，光の向き，光の拡散又は集束状態，光色等を選択できることが求められる。
【０００７】
しかし，前述した従来のダウンライトでは，例えば光の照射範囲外となる角度θ（以下，この角度θを「カットオフ角度」という。）の変更には，反射体２１内におけるランプ８の配置位置を変更するか，又は，反射体２１の形状やサイズを変更する必要があり，いずれの場合においてもダウンライトの構造を大幅に変更する必要が生じる。
【０００８】
そのため，従来のダウンライトでは，このようなカットオフ角度θの異なるダウンライトは，それぞれ別個の製品として製造されていた。
【０００９】
また，このようなダウンライトに，反射体２１の開口部前方を覆うレンズやスクリーン，ルーバー等を設けようとする場合，前述のようにカットオフ角度の相違に伴って反射体２１の形状やサイズ，特に開口部分のサイズが各製品毎に異なるものとなれば，レンズやスクリーン，ルーバ等についても各製品のサイズに対応したものとして製造する必要があり，このような部品についても共用化もできない。
【００１０】
このように，カットオフ角度の違いにより，それぞれのカットオフ角度を持つダウンライトや交換部品を別個に製造等する場合には，各製品毎に製造設備や製造ラインを設ける必要がある等，多大な設備投資が必要となり，これが製品の価格に反映されることとなる。
【００１１】
また，既に設置されているダウンライトのカットオフ角度を変更しようとする場合，既存のダウンライト全体を取り外し，これに代えて新たに用意したカットオフ角度の異なるダウンライトを取り付ける必要がある等，ダウンライト自体の交換が必要となり，また，このようなダウンライトの交換に伴い，電気配線工事等が必要となったり，また，交換するダウンライトのサイズに変更が生じれば，天井等に形成する取付孔７の径を拡張したり，又は，別途新たな孔を設ける作業が必要となる等，交換，取り付け作業が大掛かりとなる。
【００１２】
なお，従来技術として説明した，ダウンライト本体と取付具とを別体として構成したダウンライト（特許文献２参照）にあっては，例えばダウンライト本体の形状等に変更がなければ，本体のみを交換することにより取付具を共有してその交換は不要であるが，前述のように，カットオフ角度の変更は，ダウンライト本体の構造の大幅な変更を伴うものであるために，これによってダウンライト本体の形状やサイズが変化すれば，既に取り付けられている取付具を流用することはできず，取付具の交換が必要となり，また，取付具の交換に対応して，取付孔の形成作業や電気配線作業等が必要となる。
【００１３】
そこで本発明は，上記従来技術における欠点を解消するためになされたものであり，カットオフ角度，光の色，光の拡散・集束状態等が異なるダウンライト間において，共通する主要構成部分をユニット化し，この主要構成部分のユニット（基本構成ユニット）に対して組み付ける部品を変更することで，カットオフ角度，光の色，拡散・集束状態等が異なるダウンライトを提供することができるユニット型のダウンライトを提供することを目的とする。
【課題を解決するための手段】
【００１４】
上記目的を達成するために，本発明のユニット型ダウンライト１は，カップ状の反射体２１と，前記反射体２１の凹面側にHIDランプなどの光源の発光部８１を配置するソケット２２を備え，前記反射体２１及びソケット２２をフレーム２３に取り付けて成る基本構成ユニット２０を共通の構成要素とし，
前記フレーム２３に前記反射体２１の前記凹面前方を包囲する円筒，角筒状等筒状の少なくとも一のアダプタ３０（３１又は３２）を連結自在に形成し，さらに，
一端が前記一のアダプタ内に設けた取付部３７に係止自在に形成され，且つ，他端を前記アダプタ３０（３１）と同心状に突出する共通構成とすると共に，内周面の色彩，全長などのうち，少なくともいずれか一の要素が異なる複数種類の内からいずれか１の円筒，角筒状等筒状のコーン５０を選択的に取り付けたことを特徴とする（請求項１）。
【００１５】
ここで，同心状とは，広く一定点に関して点対称な図形として表れる連続する断面形状における中心を指称する。
【００１６】
前記構成のユニット型ダウンライト１に，例えば，天井などに形成された取付孔７内に取り付けられる円筒，角筒状等筒状の，取付具６を更に設け，この取付具６内の所定の位置に，前記コーン５０の他端を係止する係止部（実施形態において段部６３）と，前記アダプタ３０の前記基本構成ユニットに対する取り付け側とは反対側の端部を係止する係止部６７をそれぞれ設けて前記取付具６内に前記基本構成ユニット２０に連結されたアダプタ３０（３１，３２）及びコーン５０を係止可能に構成すると共に，
前記アダプタ３０に，前記基本構成ユニット２０との連結側とは反対側の端部を延長する延長構造を設けた構成としても良い（請求項２）。
【００１７】
このアダプタ３０は，前記基本構成ユニット２０に対する連結部と前記コーン５０の取付部３７を備えるベースアダプタ３１を有すると共に，前記延長構造として，前記アダプタ３０の延長時に前記ベースアダプタ３１の前記基本構成ユニット２０との連結側とは反対側の端部に連結される延長アダプタ３２を備えるものとすることができる（請求項３）。
【００１８】
なお，前記延長アダプタ３２には，さらに別の延長アダプタ３２を連結可能としても良い（請求項４）。
【００１９】
さらに，前記アダプタ３０内にはレンズ取付部（図中における段部３４）を設け，このレンズ取付部に，透過する光に対して及ぼす作用が異なる複数種類のレンズの中から選択された１又は複数のレンズ４０を取り付け可能とすることもできる（請求項５）。
【００２０】
また，前記レンズ４０に代え，又は前記レンズ４０と共に，ルーバ及び／又は光色変換用フィルターを前記アダプタ３０内に取付可能としても良い（請求項６）。
【００２１】
さらに，前記アダプタ３０に取り付けるコーン５０としては，前述した長さのみならず，内周面の施された色が異なる複数種類より選択可能としても良い（請求項７）。
【発明の効果】
【００２２】
以上説明した本発明の構成から，本発明のユニット型ダウンライト１によれば，以下の顕著な効果を得ることができる。
【００２３】
ランプ８を取り付けるためのソケット２２や反射体２１等の主要構成部品をフレーム２３に取り付けて基本構成ユニット２０としてユニット化し，反射体２１とは別体として構成されたコーン５０を，長さの異なる複数種類の中から選択して前記基本構成ユニット２０に取り付けることで，基本構成ユニット２０の構造を変更することなく，従って，基本構成ユニット２０を共通の構成要素として使用してカットオフ角度θの異なるダウンライトを容易に得ることができた。
【００２４】
しかも，アダプタ３０に係止されるコーン５０の一端形状を，選択可能な各コーン５０において共通化したことにより，共通のアダプタ３０を使用して長さの異なるいずれのコーン５０をも基本構成ユニット２０に取り付けることが可能である。
【００２５】
又，例えば，天井に形成された取付孔７内に取り付けられる，取付具６を設け，この取付具６内の所定の位置に，前記コーン５０の他端を係止する係止部（段部６３）と，前記アダプタ３０の前記基本構成ユニットに対する取り付け側とは反対側の端部を係止する係止部６７をそれぞれ設けることにより，ダウンライト１を前記取付具６を介して，例えば前記取付孔７内に取り付けることができた。
【００２６】
しかも，前記アダプタ３０に，前記基本構成ユニット２０との連結側とは反対側の端部を延長する延長構造を設けたことにより，この延長構造によってアダプタ３０の端部位置を可変とすることで，選択するコーン５０の長さに拘わらずアダプタ３０の端部位置を調整することができ，これにより共通の取付具６を使用した取り付けが可能である。
【００２７】
このような延長構造として，ベースアダプタ３１の基本構成ユニット２０との連結側とは反対側の端部に連結される延長アダプタ３２を設けることで，この延長アダプタ３２の着脱によって容易且つ正確に，アダプタ３０の端部位置の調整を行うことが可能であると共に，前記延長アダプタ３２にさらに別の延長アダプタ３２を連結可能とすることにより，選択可能なコーン５０の種類（長さ）を増やすことができ，従って選択できるカットオフ角度θの幅を拡げることができた。
【００２８】
更に，前記アダプタ３０にレンズ取付部（図中における段部３４）を設けた構成にあっては，取り付けるレンズの種類によって，ダウンライトが照射する光の拡散，集束状態等を変化させることができ，しかも，前述のように，選択するコーン５０の長さの変化に拘わらず共通のアダプタ３０（ベースアダプタ３１）を使用可能であることから，カットオフ角度θの異なるいずれのダウンライト１においても，取り付けるレンズのサイズを共通化することが可能である。
【００２９】
また，前記レンズ４０に代え，又は前記レンズ４０と共に，ルーバ及び／又は光色変換用フィルターを前記アダプタ３０内に取付可能とすることで，光に対して着色を行い，又は光源を視界から遮る等して防眩等の作用を付加することが可能であると共に，前記レンズ４０において説明したと同様，これらのルーバや光色変換用フィルターのサイズをカットオフ角度θの異なるダウンライト１間で共通化することができた。
【００３０】
また，アダプタ３０に取り付けるコーン５０として，内周面の施された色が異なる複数種類より選択可能とすることにより，前記光色変換用フィルターに代えて，又は前記光色変換用フィルターと共に，ダウンライト１より照射される光の色，及び明るさ等を変更することができた。
【００３１】
さらに，前述したように基本構成ユニット２０をいずれのダウンライトに対しても共通の構成要素とし，これに所望のコーン５０，レンズ４０，ルーバーやフィルターを組み合わせることにより，容易に所望のカットオフ角度，光色，光の拡散や集束状態等を持つダウンライト１を組み立て可能であることから，基本構成ユニット２０とこれに組み合わせるコーン５０，レンズ４０，ルーバーやフィルターをそれぞれ製造しておくことで，例えば出荷時等に，受注した内容に対応した選択部品を基本構成ユニット２０に組み付けることで，顧客からの多種多様の要求に対して容易に対応することができた。
【発明を実施するための最良の形態】
【００３２】
次に、本発明の実施形態を添付図面を参照しながら以下に説明する。
【００３３】
図１は，本発明のユニット型ダウンライト１の一構成例を示し，このダウンライト１は，所定のカットオフ角度θで，所定の色，拡散・集束状態等に調整された光を照射するダウンライト本体２と，このダウンライト本体２を，ここでは，一例として，天井等に形成した取付孔７内に取り付けるための取付具６を備えている。
【００３４】
〔ダウンライト本体〕
前述のダウンライト本体２は，図２に示すようにダウンライト本体２の主要構成部分を成す基本構成ユニット２０と，この基本構成ユニット２０に取り付けられるコーン５０や，レンズ４０及び／又はフィルター等の交換部品，並びに前記基本構成ユニット２０に対して前記交換部品を取り付けるためのアダプタ３０を備えている。
【００３５】
基本構成ユニット
前述の基本構成ユニット２０は，ダウンライト本体２の主要構成要素のうち，後述するレンズ４０，コーン５０，フィルターやルーバ等の交換部品の交換によりカットオフ角度θや光の色，光の拡散・集束状態等が異なるダウンライト１間において共通化することのできる構成要素をユニット化したものであり，本実施形態においてこの基本構成ユニット２０は，反射体２１，ソケット２２，及び前記ソケット２２に取り付けられるランプ８，並びに前記反射体２１とソケット２２とを所定の位置関係で取り付けるフレーム２３を備え，前記フレーム２３に前記各構成部品を取り付けて一体的なユニットとして形成されている。
【００３６】
前述のフレーム２３は，図２に示す実施形態において内部に前述のソケット２２を収容するための室が形成された，ここでは，略円筒状のソケット収容部２３１と，このソケット２２に対するランプ８の取り付け側に設けられた反射体収容部２３３と，前記反射体収容部２３３と前記ソケット収容部２３１間を連結するリブ状部２３２により構成され，前記ソケット２２に対してランプ８を装着すると，このランプ８が反射体２１の中央部分に形成されたランプ挿入口２１ａを貫通して，その発光部８１が反射体２１の凹面側に配置されるように構成されている。
【００３７】
前述の反射体２１の凹面は，例えばクロムメッキ等によって鏡面状に仕上げられており，ランプ８の発光部８１より発せられた光は，反射体２１の凹面表面で反射され，この反射体２１の形状，ランプ８の発光部の配置位置等によって特定される所定の方向に照射される。
【００３８】
なお，従来技術として説明したダウンライトでは，このダウンライトのカットオフ角度θを変更するためには，反射体の交換等，本発明のダウンライト１における基本構成ユニット２０が備える構成要素の変更が必要となっていたが，本発明のダウンライト１にあっては，この反射体２１とは別に後述するコーン５０を設けたことにより，コーン５０の変更のみによって基本構成ユニット２０の構造を変更することなくカットオフ角度θの変更が可能となり，その結果，このような反射体２１を備えた基本構成ユニット２０の共通化が可能となっている。
【００３９】
図示の実施形態において，前述の反射体収容部２３３は，ここでは，略円筒状を成し，この円筒状の反射体収容部２３３の前記ソケット収容部に対する連結側の端部周縁を内周方向に向かってフランジ状に突設して，その中央に前記反射体２１を挿入する反射体挿入孔２３３ａを形成し，この反射体挿入孔２３３ａ内に反射体２１の凸面が前述のソケット収容部側２３１側に向かって膨出するように挿入されている。
【００４０】
このようにしてソケット収容部２３１側に向かって膨出するように反射体挿入孔２３３ａ内に挿入された反射体２１の前記ランプ挿入口２１ａ内周は，ソケット収容部２３１に取り付けられた係止具２３１ａによって係止されてフレーム２３の所定の位置に固定されている。
【００４１】
前記リブ状部２３２を介して前記反射体収容部２３３と連結された前述のソケット収容部２３１は，内部を中空としこのソケット収容部２３１内にランプを取り付けるための，ここでは，有底円筒状を成すソケット２２が，開口側を前述の反射体２１のランプ挿入口２１ａに向けて収容されている。
【００４２】
このソケット収容部２３１の外周には，前記ソケット収容部２３１の長さ方向を長さ方向とした薄板が円周方向に多数取り付けられており，この薄板によって前記ソケット収容部２３１を介してランプ８の点灯により発生した熱を放出する空冷フィン２３１ｂが形成されている。
【００４３】
このようにしてフレーム２３のソケット収容部２３１内に収容されたソケット２２に取り付けられるランプ８の先端には，図１及び図２に示すように防眩キャップ（ランプシールド）２４を被せても良く，このような防眩キャップ２４によってランプ８の先端部分を覆うことにより，光源であるランプ８が直接視界に入ることを防止して眩しさを低減すると共に，ランプから直接前方に放出される光をカットし，反射体２１によって制御された光のみが放出されるようにすることができる。
【００４４】
図示の実施形態にあっては，このような防眩キャップ２４を，反射体２１の前記ランプ挿入口２１ａ内周を係止する係止具２３１ａに一端を固着された支持棒２５の他端に取り付けて，ランプ８の先端部分を覆うことができるようにしているが，この防眩キャップ２４の取り付けは，この方法に限定されず，他の方法により取り付けることも可能であり，また，防眩キャップ２４は必ずしも設けなくても良い。
【００４５】
フレーム２３に設けた前述の反射体収容部２３３には，前述のソケット収容部２３１の連結側とは反対側の端部に，後述するアダプタ３０を取り付け可能に構成されている。
【００４６】
このようにアダプタ３０を取り付け可能とする構成については，後述するアダプタ３０を前述の反射体収容部２３３に対して取り付け可能なものであれば如何なる構成を採用しても良く，図示の実施形態には限定されないが，本実施形態にあっては一例として図１及び図２に示すように，フレーム２３の反射体収容部２３３に設けた２枚の板バネ２６，２６間でアダプタ３０の外周部分を挟持して，反射体収容部２３３に後述のアダプタ３０を着脱可能に取り付けている。
【００４７】
なお，前記板バネ２６，２６の先端部分には，図２に示すようにこの板バネを折り曲げて形成した係止爪２６ａが形成されており，この係止爪２６ａが後述するアダプタ３０外周に形成された係止溝３３内に嵌合されてアダプタ３０の脱落が防止されている。
【００４８】
アダプタ
前述のように形成された基本構成ユニット２０の前記反射体収容部２３３に取り付けられるアダプタ３０はその全長が可変に構成されており，このように全長を可変とすることで，基本構成ユニット２０に対して取り付けるコーン５０の長さに拘わらず，このアダプタ３０の一端より突出するコーン５０の長さが一定となるように調整可能となっている。
【００４９】
図１〜図３に示す実施形態にあっては，このアダプタ３０が，少なくとも前記基本構成ユニット２０に対してコーン５０やレンズ４０，フィルター，ルーバ等の交換部品を取り付けるためのベースアダプタ３１を備え，前記ベースアダプタ３１に取り付けるコーン５０の長さに対応して，必要に応じて前記ベースアダプタ３１に延長アダプタ３２を取り付けることで，その全長が可変に構成されている。
【００５０】
図１及び図２に示す実施形態では，前述のアダプタ３０をこのような延長アダプタ３２を取り付けることなく，ベースアダプタ３１のみによって構成した例であり，図３に示す実施形態では，前記ベースアダプタ３１に延長アダプタ３２を取り付けて前述のアダプタ３０を構成した例である。
【００５１】
前記基本構成ユニット２０に後述するコーン５０やレンズ４０，フィルター等の交換部品を取り付けるための前記ベースアダプタ３１は，前述の基本構成ユニット２０に設けた反射体収容部２３３に取り付けられて，この反射体収容部２３３に形成された円筒部を延長して前記反射体２１の凹面前方を包囲するように，前記各部材に対応して、ここでは、略円筒状に形成されている。
【００５２】
図２に示す実施形態にあっては，このベースアダプタ３１を，前述のフレーム２３の反射体収容部２３３である，ここでは、その円筒部分に対応してこれと略同径の円筒状に形成すると共に，前記反射体収容部２３３との連結側端部を，前記反射体収容部２３３の内径に対して僅かに小径に形成して，この小径部を前記反射体収容部２３３内に印籠継ぎの状態に挿入可能に構成すると共に，このような挿入状態において前記板バネ２６の先端に設けた前述の係止爪２６ａをベースアダプタ３１の外周に形成した係止溝３３に嵌合させてベースアダプタ３１の固定を行っている。
【００５３】
このベースアダプタ３１は，その内周に後述するレンズ４０やフィルター，ルーバ等を取り付けるための取付構造を備えており，本実施形態にあってはベースアダプタ３１の内径を狭めることによりベースアダプタ３１の内周に段部３４を形成し，この段部３４に前記レンズ４０を嵌合して取り付け可能としており，図示の例ではこの段部３４に後述するレンズ４０の周縁部分を載置すると共に，前記段部３４との間でレンズの周縁部を挟持する押え板３５を設けることにより，ベースアダプタ３１内の所定の位置にレンズ４０の取り付けを行うことができるように構成した。
【００５４】
なお，ベースアダプタ３１にレンズ４０等を取り付けるための構成は，図示の構成に限定されず，前述したレンズ４０等をベースアダプタ３１に取り付け可能な構成であれば各種の構成を採用することができる。
【００５５】
なお，図１〜図３において符号３６は，ベースアダプタ３１の中央方向に付勢された板バネであり，ベースアダプタ３１内にフィルターやルーバ等を取り付けるための固定具として、機能し、この板バネ３６を複数箇所，一例として図示の実施形態にあっては円周方向に３箇所等間隔に設け，この板バネ３６によって囲まれた空間内にカラーフィルターやコンバージョンフィルター等のフィルター，ハニカムルーバ，その他のルーバ等を挿入して，フィルターやルーバの外周を複数の板バネ３６間に挟持して取り付けるものである。
【００５６】
このようにして，レンズ４０や各種フィルター，ルーバ等が取り付けられたベースアダプタ３１を，前述の基本構成ユニット２０に取り付けることで，前述の反射体２１の凹面前面がベースアダプタ３１に取り付けられたレンズ４０やフィルター，ルーバ等によって覆われると共に，反射体２１とレンズ４０，フィルター，ルーバ間の空間外周が円筒状のベースアダプタ３１によって包囲される。
【００５７】
このベースアダプタ３１には，更に後述するコーン５０を取り付け可能に構成されており，図示の実施形態にあっては，前記レンズ４０の取付部と成る前述の段部３４と，前記基本構成ユニット２０に対する取り付け側とは反対側の端部間における所定の位置，ここでは、ベースアダプタ３１の底縁３１１の近傍に設けた凹部３１２に，コーン５０の細径側端部の外周を反中心方向外方に屈曲した係合折曲部５１を取り付けるためのコーン取付部３７が形成されている（図３参照）。
【００５８】
このコーン取付部３７は，後述するコーン５０の細径側端部をベースアダプタ３１に取り付け可能とするものであれば如何なる構成であっても良いが，図１〜図３に示す実施形態にあっては，このコーン取付部３７におけるベースアダプタ３１の底縁３１１の内径を，後述するコーン５０の細径側端部に形成した折曲部５１を嵌合して挿入可能な大きさに形成すると共に，ベースアダプタ３１の底縁３１１近傍で前記所望の位置に設けた前記凹部３１２に前記ベースアダプタ３１の肉厚を貫通する螺子孔を形成し，この螺子孔にベースアダプタ３１の外周側から内周側に向かってボルト３８を螺合して，このボルト３８の先端を前記コーン５０の細径側端部に形成した折曲部５１に突合させることで，コーン５０の折曲部５１をベースアダプタ３１内の所定の位置に取り付けている。
【００５９】
さらに，前記ベースアダプタ３１の基本構成ユニット２０との連結側とは反対側の大径側端部には，このベースアダプタ３１を延長して，前記コーン取付部３７に取り付けられたコーン５０外周を包囲するこのコーン５０およびベースアダプタ３１に対応した，円筒状の，延長アダプタ３２を取り付けることができるように構成されている（図３参照）。
【００６０】
この，ベースアダプタ３１に対する延長アダプタ３２の取り付け構造は，両者を着脱可能に連結するものであれば如何なる構成としても良いが，一例として図３に示す実施形態にあっては，前述のベースアダプタ３１の前記基本構成ユニット２０との連結側とは反対側の端部寄りに位置する底縁３１１端に，円周方向に所定間隔で開孔３９を形成し，前記延長アダプタ３２の前記ベースアダプタ３１との連結側端部に，前記ベースアダプタ３１内に挿入可能な小径部を形状し，この小径部の外周に，外周方向に突出する係合片３２ａを設け，前記ベースアダプタ３１内に延長アダプタ３２の小径部を挿入すると共に，前記係合片３２ａを前記開孔３９内に嵌合させることにより，ベースアダプタ３１に対して延長アダプタ３２を取り付けることができるように構成されている。
【００６１】
なお，この延長アダプタ３２の前記ベースアダプタ３１との連結側とは反対側の端部には，この延長アダプタ３２に更に別の延長アダプタ３２を連結することができるように，前記ベースアダプタ３１に設けたと同様の開孔３９を設けても良い（図６参照）。
【００６２】
なお，図２及び図３において，符号３１ａは前述のベースアダプタ３１に設けた吸気ダクトであり，図示の例ではベースアダプタ３１に対するレンズ４０の取り付け位置と前記コーン取付部３７間に，前記ベースアダプタ３１の肉厚を貫通するスリットを設けてこれを前述の吸気ダクト３１ａとした。
【００６３】
このように前述の位地にベースアダプタ３１の肉厚を貫通する吸気ダクト３１ａを設けることにより，本発明のダウンライト１を天井等に形成した取付孔７内に取り付けた際に，室内側の冷たい空気をこの吸気ダクト３１ａを介して壁面の裏側（天井裏側）に冷却風として導入することができ，この冷却風の導入によって壁面の裏側においてダウンライト１を冷却することができるように構成した。
【００６４】
レンズ，フィルター及びルーバ
前述のベースアダプタ３１を介して前記基本構成ユニット２０に取り付けられる前述のレンズ４０やフィルター，ルーバは，前記ベースアダプタ３１に取り付けられることにより反射体２１の前面を覆い，反射体２１を介して反射されたランプ８の光に対して所定の作用を及ぼすもので，このようなレンズ４０の一例として，光を拡散させ，柔らかな光を作り出すためのディフュージョンレンズ（拡散レンズ），光のピントを合わせて光の輪郭を調節するフォーカシングレンズ（ピント合わせレンズ），光を屈折させ，楕円配光を照射するスプレッドレンズ等から用途に応じたレンズを選択することが可能である。
【００６５】
また，これらのレンズ４０に代えて，又はこれらのレンズ４０と共に，前記レンズ取付部である段部３４や前記フィルターやルーバの取付部を成す板バネ３６に，六角柱（蜂の巣模様）に組んだ部品で，照明機器から光源が直接視界に入らないようにする部品であるハニカムルーバーやその他のルーバー，光に色を付ける着色透明シートであるカラーフィルター，光源の光色（色温度）を変えるコンバージョンフィルター等のフィルターを選択して取り付けることもでき，選択するレンズ４０やフィルター，ルーバ，又はこれらの組合せによって，基本構成ユニット２０を共通とするダウンライトであっても照射される光の色や拡散状態等を異なるものとして組み立てることが可能となる。
【００６６】
なお，これらのレンズ４０やフィルター，ルーバは，前述した段部３４や板バネ３６にいずれをも選択して取り付けることができるように，そのサイズを共通化しておくことが好ましく，本発明のダウンライトにあっては，後述するコーン５０の細径側端部すなわち折曲部における形状及び大きさを同形，同大として共通化したこと，前記基本構成ユニット２０の共通化，及び延長アダプタ３２の取付によりアダプタ３０の全長が可変とされていることから，ベースアダプタ３１を選択するコーン５０の長さ等に拘わらず共通とすることができることから，このベースアダプタ３１に対して取り付ける前記レンズ，フィルター，ルーバ等についてもカットオフ角度θの変更に拘わらず共用することが可能である。
【００６７】
コーン
前述のようにして，アダプタ３０を介して基本構成ユニット２０に取り付けられるコーン５０は，ここでは，略円筒状を成し，基本構成ユニット２０より照射された光をその内周面において反射又は吸収して，カットオフ角度θを制御するもので，図１〜図３に示す実施形態では，このコーン５０を相対的に細径に形成された一端の細径側端部と，前記一端に対して大径に形成された他端の大径側端部とを備えた，ここでは，略裁頭円錐状の筒状体として形成している。
【００６８】
従来技術として説明した前述のダウンライト（図７参照）にあっては，光源で発生した光の反射角等の制御は反射体のみで行うように構成しており，従って，ダウンライトのカットオフ角度θを変更しようとすれば，形状やサイズ等の異なる反射体を備える別個のダウンライトへの交換が必要であったが，本発明のダウンライト１にあっては，基本構成ユニット２０に設けた反射体２１とは別にコーン５０を設け，このコーン５０として全長の異なる複数種類のコーン５０の中から選択されたいずれか１のコーンを前記基本構成ユニット２０と組合せて使用することで，反射体２１の変更を伴わずにカットオフ角度θを変更することができるように構成した。
【００６９】
このコーン５０の細径側の一端は，前述のように端部周縁を僅かに外周方向に曲折して形成された折曲部５１が形成されていると共に，他端側の大径側の端部は，その端縁を外周側に曲折して，後述する取付具６に形成された段部６３に係止可能に構成されている。
【００７０】
好ましくは，この大径側端部は，図４〜図６に示すようにその周縁部を外周方向にＲを持たせて，略９０°曲折してダウンライト１の中心線方向に対して直交方向を成す外フランジ面５２を設けることが好ましく，このような外フランジ面５２を形成することにより，光源８からの光がコーン５０の端縁で反射せず，このような光が視界に入ることにより感じる不快な眩しさを低減できる。
【００７１】
図４〜図６の実施形態にあっては，前述のように外周方向に曲折したコーンの周縁部を更に本体部分と平行を成す方向（図中上方）に曲折して断面コ字状に形成し，図中上向きを成す端部が取付具６に形成された段部６３に係止されるように構成した。
【００７２】
このコーン５０の内周面は，例えばこれをクロムメッキ等によって銀色の鏡面に仕上げることにより前述のレンズ４０を通過した光をそのまま反射するようにすることもできるが，例えばシャンパンゴールド（透明な暗黄色）等の着色された鏡面とすることにより，レンズを通過した光を内周面に着色した色に対応して着色して反射するようにしても良く，例えば前述のシャンパンコールド色とした場合には，ダウンライト１によって照射される光を暖かみのある黄色に変化させることができる。
【００７３】
さらにはコーン５０内周面を黒色に着色してレンズ４０を通過した光のうちコーン５０内周面に照射された光を吸収するように構成しても良く，このように内周面に対する仕上げの状態が異なるコーン５０を準備すると共に，このうちから選択されたいずれかのコーンを取り付けることで，ダウンライト１より照射される光に各種の変化を与えることができるように構成しても良い。
【００７４】
コーン５０全長の選択は，このダウンライト１に与えるカットオフ角度θに対応して行い，コーン５０の両端における開口径が共通する場合，コーン５０の全長が長くなるに従いカットオフ角度θが増大し（照射範囲が狭くなる），コーン５０の全長が短くなるに従いカットオフ角度θが減少する（照射範囲が広くなる）（図４〜図６参照）。
【００７５】
そこで，本発明のダウンライトにあっては，図１及び図３，又は図４〜図６に示すように，細径側端部及び大径側端部における開口径がいずれも同一で，全長が異なる複数種類のコーン５０の中から，いずれか１のコーン５０を選択して取り付けることにより，前述の基本構成ユニット２０を共通とし，かつ，ベースアダプタ３１や後述の取付具６を共通とし，従って天井に形成する取付孔７の径についても共通として，コーン５０の選択のみで本発明のダウンライト１のカットオフ角度θを変更することができるように形成した。
【００７６】
図１及び図３に示す実施形態では，長短二種類の長さを有するコーン５０を準備し，いずれの長さのコーン５０を選択するかによってカットオフ角度を３０°（図１，２）又は４０°（図３）に設定可能とした例であり，また，図４〜図６に示す実施形態では，長さの異なる３種類のコーン５０を準備すると共に，このうちのいずれのコーン５０を選択するかにより，カットオフ角度を３０°（図４），４０°（図５）又は５０°（図６）のいずれかに設定可能とした例である。
【００７７】
なお，アダプタ３０に取り付けるコーン５０の長さに拘わらず，アダプタ３０の基本構成ユニット２０に対する連結側とは反対側の端部より突出するコーン５０の長さが常に一定となるように，アダプタ３０はその全長を可変に構成されており，本実施形態にあっては，このようなアダプタ３０をベースアダプタ３１と延長アダプタ３２によって構成すると共に，前記ベースアダプタ３１に対する延長アダプタ３２の取付の有無，又は取付個数によってアダプタ３０の全長を可変とした。
【００７８】
図示の実施形態にあっては，選択可能なコーン５０のうち，最も全長が短いコーンを取り付けた場合におけるコーン５０の大径側端部とベースアダプタ３１の端部（基本構成ユニット２０との連結側とは反対側の端部）間の距離を基準とし，これに対して全長の長いコーン５０を取り付けた場合においても両者間の距離が一定となるように，選択するコーン５０の長さに対応して前述のベースアダプタ３１に延長アダプタ３２を連結し，さらに必要な場合には延長アダプタ３２に更に別の延長アダプタ３２を連結して（図６参照），コーン５０の大径側端部と前記アダプタ端部間の距離が常に一定となるように調整可能に構成した。
【００７９】
取付具
以上のように，基本構成ユニット２０にアダプタ３０を介してコーン５０及びレンズ４０，必要に応じてフィルター，ルーバ等の交換部品を取り付けることにより構成されたダウンライト本体２は，天井等に形成された取付孔７内に取付具６を介して固定される。
【００８０】
この取付具６は，図２に示すように両端を開口する円筒状の本体６１と，この本体６１の一端側における開口縁に形成された外向きフランジ状の枠体６２を備え，この取付具６の前記本体６１部分を，前記枠体６２の形成側とは反対側の端部を先端側として天井等に形成した取付孔７内に挿入して，後端側に設けた前記枠体６２が開孔縁と接触する位置迄挿入し，この状態において取付具６を取付孔７内に固定することができるように構成されている。
【００８１】
このように，取付孔７内に取付具６を固定可能とするために，前記取付具６には，前記枠体６２との間で天井板を挟持する挟持体６４を設けることができる（図４参照）。
【００８２】
この挟持体６４は，図４に示す実施形態にあっては取付具６の外周より突出した金属板等で構成したもので，取付具６の外周に，円周方向に多数の溝を形成して取付具の外周を図４に示すように断面鋸波状とし，この溝のいずれかに前記挟持体６４の一端（図中上端）を係止すると共に，この狭持体６４の中間部に形成した螺子孔に，取付具６の内周側より外周側に向かって突出させたボルト６５の先端側を螺合して，このボルト６５の締め付けにより，前記挟持体６４の傾斜角度を変化させて挟持体６４の他端（図中における下端）と前記枠体６２との間隔を調整することで，枠体６２と板バネ６６の下端間において天井板を挟持可能とした。
【００８３】
なお，天井等に形成した取付孔７内に前記取付具６を固定する構成は，図示の実施形態に限定されず各種の構成を採用することが可能であり，例えば取付具６を直接取付孔７内にネジ止め等して取り付けても良い。
【００８４】
この取付具６の前記枠体６２を備えた側の端部内周は，前述したコーン５０の大径側端部に形成した折曲げ部分を係止する段部６３が設けられており，取付具６の枠体６２形成側の端部より取付具６の本体６１内にダウンライト本体２を挿入すると，コーン５０の大径側端部に設けた前述の曲折部が前記段部６３に係止されて，ダウンライト本体２の取付具６内に対する挿入位置が決定されるように構成されている。
【００８５】
この取付具６の内周には，前述の位置までダウンライト本体２を取付具６内に挿入したときに，前述のアダプタ３０の基本構成ユニット２０に対する取り付け側とは反対側の端部が配置される位置で，内周方向に突出する係止部６７が設けられており，この係止部６７によって，取付具６内に挿入されたダウンライト本体２が取付具６内の所定の位置に係止されるように構成されている。
【００８６】
図示の実施形態にあっては，前記枠体６２の形成側における端部から他端側に向かって内壁に沿って配置された板バネ６６を設け，この板バネ６６の図中上端部分を内周方向に膨出するように湾曲させて，この湾曲部分を前記アダプタ３０端部の係止部６７とした。
【００８７】
なお，このような係止部の構成は図示の実施形態に限定されず，前述のアダプタ３０の端部を係止可能な構成であれば他の構成を採用しても良い。
【００８８】
作用等
以上のように構成された本発明のダウンライト１において，光の拡散や集束の状態，光色，その他光に対して付与する作用等に応じてレンズ４０又は該レンズ４０に代え，又はレンズ４０と共にフィルターやルーバを選択して前記ベースアダプタ３１に取り付けると共に，所望のカットオフ角度θに応じてコーン５０の長さを，光に対して行う色付け等に応じてコーン５０内周面の色彩を選択して，選択したコーン５０を前記ベースアダプタ３１に取り付ける。
【００８９】
コーン５０の取り付けに際し，選択したコーン５０の長さとの関係で必要な場合には，前記ベースアダプタ３１に予め延長アダプタ３２を取り付けておき，このようにしてレンズ４０やフィルター，ルーバ，コーン５０等が取り付けられたベースアダプタ３１を前記基本構成ユニット２０に取り付けることにより，所望のカットオフ角度θで，所望の色に着色等された光を照射するダウンライト本体２が完成する。
【００９０】
従って，例えば予めダウンライト本体２の基本構成ユニット２０を製造しておくとともに，これと組み合わせるレンズ４０，フィルター，ルーバ，及びコーン５０等の選択部品を複数種類準備しておくことで，例えば出荷時等において，要求されるダウンライト１の機能等に基づいて基本構成ユニット２０に対応する交換部品を取り付けるだけで，容易に要求される特性等を備えたダウンライト１を得ることができる。
【００９１】
前述のように，カットオフ角度θ等の相違によって選択されるコーン５０は，異なる種類のコーン５０間においても両端の径が共通であり，長さや色のみが異なるものとして構成していることから，いずれのコーン５０を選択して取り付けた場合であっても共通のベースアダプタ３１を使用して前述の基本構成ユニット２０に取り付けることが可能であると共に，いずれのコーン５０を選択して組み立てた場合であっても，得られたダウンライト本体２の下端部の径が共通のものとなる。
【００９２】
そのため，選択するコーン５０の種類に拘わらず，このようにして形成されたダウンライト本体２を天井に形成された取付孔７内に係止するための前述の取付具６についても共通化することが可能である。
【００９３】
また，前述の取付具６の共通化が可能となる結果，天井に形成する取付孔７のサイズについても共通化が可能であり，カットオフ角度θが相違するダウンライト相互間であっても天井等に形成する取付孔７のサイズを変更する必要がない。
【００９４】
そして，前述のように構成されたダウンライト本体２を，基本構成ユニット２０側を先端側として前記取付具６の本体６１内に挿入し，枠体６２の形成側において取付具６の端部内周縁に形成された段部６３に，コーン５０の大径部外周縁が係止される迄押し込むと，取付具６の内周に設けられた板バネ等によって形成された前述の係止部６７は，挿入時に基本構成ユニット２０のフレーム２３等と接触して外周方向に押圧されてダウンライト本体２の通過を許容すると共に，コーン５０の大径側端部の外周縁が取付具６に設けた段部６３に係止される位置迄挿入されると，前述のアダプタ３０の端部（アダプタ３０がベースアダプタ３１のみで構成されている場合にはベースアダプタ３１の端部，延長アダプタ３２を備える場合には延長アダプタ３２の端部）が前記係止部６７を通過してその上方に位置される。
【００９５】
このアダプタ３０端部の通過により，アダプタ３０の外周によって外周方向に押圧されていた係止部６７に対する押圧力が解除されて係止部６７が取付具６の内周側に復帰して，前記アダプタ３０の端部を係止する。
【００９６】
アダプタ３０は，前述したように延長アダプタ３２の着脱により，又は延長アダプタ３２の取り付け個数によって全長が可変に形成されており，アダプタ３０の端部からのコーン５０の突出長さを一定とすることができることから，選択したコーン５０の長さに拘わらず，共通の取付具６を使用した場合であっても，前記係止部６７によってアダプタ３０の端部が確実に係止される。
【００９７】
このようにして，ダウンライト本体２は取付具内の所定の位置に係止されて天井に形成された取付孔７内に固定され，天井等に対してダウンライト１の取り付けが完了する。
【図面の簡単な説明】
【００９８】
【図１】本発明の一実施形態を示すダウンライトの断面図。
【図２】図１のダウンライトの分解状態を示す断面図。
【図３】長さの異なるコーンの取付例を示すアダプタ及びコーンの断面図。
【図４】本発明の別の実施形態を示すダウンライト（カットオフ角度３０°）の断面図。
【図５】長さの異なるコーンの取付例を示すダウンライト（カットオフ角度４０°）の断面図。
【図６】長さの異なるコーンの取付例を示すダウンライト（カットオフ角度５０°）の断面図。
【図７】従来のダウンライトを示す要部断面図。
【符号の説明】
【００９９】
１  ダウンライト
２  ダウンライト本体
６  取付具
６１  本体
６２  枠体
６３  段部
６４  挟持体
６５  ボルト
６６  板バネ
６７  係止部
７  取付孔
８  光源（ランプ）
８１  発光部
２０  基本構成ユニット
２１  反射体
２１ａ  ランプ挿入口
２２  ソケット
２３  フレーム
２３１  ソケット収容部
２３１ａ  係止具
２３１ｂ  空冷フィン
２３２  リブ状部
２３３  反射体収容部
２３３ａ  反射体挿入孔
２４  防眩キャップ
２５  支持棒
２６  板バネ
２６ａ  係止爪
３０  アダプタ
３１  ベースアダプタ
３１ａ  吸気ダクト
３１１  底縁
３１２  凹部
３２  延長アダプタ
３２ａ  係合片
３３  係止溝
３４  段部
３５  押え板
３６  板バネ
３７  コーン取付部
３８  ボルト
３９  開孔
４０  レンズ
５０  コーン
５１  折曲部
５２  外フランジ面
【図１】
2008034185.tif 000003
【図２】
2008034185.tif 000004
【図３】
2008034185.tif 000005
【図４】
2008034185.tif 000006
【図５】
2008034185.tif 000007
【図６】
2008034185.tif 000008
【図７】
2008034185.tif 000009